(57)【要約】【課題】水路と外水域との合流点付近に漂砂の堆積で堆砂が生成されても、この堆砂を確実に除去して、スムーズなゲートの開閉および水路から外水域への排水を得ることができるゲート設備の運転方法およびゲート設備を提供する。【解決手段】川表ゲート３２の外水域側に漂砂の堆積によって堆砂Ｓが生成されても、川表ゲート３２を閉じて水路３１に貯水したのち、この貯水を川表ゲート３２の小開度域開放により外水域３０に向けて強力に放流するか、あるいは水中ポンプ３５Ａを運転して、貯水を堆砂Ｓに向けてピンポイント的に噴流させることで、堆砂Ｓを外水域３０に押し流して除去する。また、川表ゲート３２とポンプゲート３４の両者を閉じて貯水槽３８を形成し、ポンプゲート３４の運転によって貯水槽３８に貯水し、この貯水を前記と同様に放流または噴流させることで、堆砂Ｓを外水域３０に押し流して除去する。【選択図】        図２
2004197496.tif 000002
【特許請求の範囲】
【請求項１】
河川、海、湖などの外水域に臨む水路の出口をゲートで開閉するゲート設備において、前記ゲートを閉じて前記水路に貯水し、この貯水をゲートの開放により放流して、ゲート下流側の堆砂を押し流すことを特徴とするゲート設備の運転方法。
【請求項２】
河川、海、湖などの外水域に臨む水路の出口をゲートで開閉するゲート設備において、前記ゲートを閉じて前記水路に貯水し、この貯水をポンプによりゲート下流側の堆砂に噴流して該堆砂を押し流すことを特徴とするゲート設備の運転方法。
【請求項３】
河川、海、湖などの外水域に臨む水路の出口に設けた川表ゲートと、この川表ゲートの上流側に設けたポンプゲートと、川表ゲートとポンプゲートの間に設置したポンプ装置とを備えていることを特徴とするゲート設備。
【発明の詳細な説明】
【０００１】
【発明の属する技術分野】
本発明は、ゲート設備の運転方法およびゲート設備に関するものである。
【０００２】
【従来の技術】
従来より、図３および図４に示すゲート設備（水門）が知られている。このゲート設備は、両端部をゲート１，１の案内溝２，２に摺動自在に嵌合した昇降自在の板状扉体３の一側面にポンプ取付枠６，６を設け、このポンプ取付枠６，６にポンプ群を並設し、各ポンプ７に吸引口９および吐出口１０を設け、各吸引口９を扉体３の取水側下部に開口し、各吐出口１０からの吐出水が扉体３に当接しないように各吐出口１０を取水側と反対側に開口して扉体３を閉鎖した状態において、ポンプ群により取水路側の水位２０を下降し得るように構成してある（たとえば、特許文献１参照。）。なお、図Ｘおよび図Ｙにおいて、４は巻上機、５はワイヤーロープ、８は原動機、１１はフラップ弁（逆止弁）、１２は水路床、１３は下面受座、１４はスクリーン、１５は外水位計、１６は内水位計、１７はポンプ操作室、１８は河川の水位、１９は水路である。
【０００３】
このようなゲート設備では、河川（外水域）の水位１８が異常に高くなり、扉体３を閉鎖して水路１９を閉鎖した際に、取水路側の水位２０が危険水位となり、農作物などが水害の危険にさらされるおそれがある場合には、ポンプ７を始動することによって吸引口９から河川側に排水することで、取水路側の危険水を安全水位まで下降させることができる。また、取水路側の水位２０が取水水位より低い場合は扉体を上昇させて水路９を開き、河川側から導水して水位２０を上昇させる。
【０００４】
【特許文献１】
特公昭５６−５８８３号公報（第１図、第２図）
【０００５】
【発明が解決しようとする課題】
しかし、前記従来のゲート設備では、水路１９と河川などの外水域との合流点付近、つまり扉体３の外水域側が漂砂の堆積で生成された堆砂Ｓによって埋まり、扉体（ゲート）３の開閉や水路１９から河川への排水に支障を来す場合がある。
【０００６】
本発明は、このような事情を考慮してなされたもので、水路と外水域との合流点付近に漂砂の堆積で堆砂が生成されても、この堆砂を確実に除去して、スムーズなゲートの開閉および水路から外水域への排水を得ることができるゲート設備の運転方法およびゲート設備を提供することを目的としている。
【０００７】
【課題を解決するための手段】
前記目的を達成するために、請求項１に記載の発明に係るゲート設備の運転方法は、河川、海、湖などの外水域に臨む水路の出口をゲートで開閉するゲート設備において、前記ゲートを閉じて前記水路に貯水し、この貯水をゲートの開放により放流して、ゲート下流側の堆砂を押し流すことを特徴としている。
【０００８】
また、前記目的を達成するために、請求項２に記載の発明に係るゲート設備の運転方法は、河川、海、湖などの外水域に臨む水路の出口をゲートで開閉するゲート設備において、前記ゲートを閉じて前記水路に貯水し、この貯水をポンプによりゲート下流側の堆砂に噴流して該堆砂を押し流すことを特徴としている。
【０００９】
さらに、前記目的を達成するために、請求項３に記載の発明に係るゲート設備は、河川、海、湖などの外水域に臨む水路の出口に設けた第１ゲートと、この第１ゲートの上流側に設けた第２ゲートと、第１ゲートと第２ゲートの間に設置されて第１ゲート上流側の貯水を該第１ゲート下流側の堆砂に噴流させて堆砂を押し流すポンプ装置とを備えていることを特徴としている。
【００１０】
請求項１に記載の発明によれば、水路と河川、海、湖などの外水域との合流点付近、つまりゲートの外水域側（ゲート下流側）に漂砂の堆積によって堆砂が生成されても、ゲートを閉じて水路に貯水したのち、この貯水をゲートの開放により外水域に向けて強力に放流して、前記堆砂を外水域に押し流して除去することができる。
【００１１】
請求項２に記載の発明によれば、水路と河川、海、湖などの外水域との合流点付近、つまりゲートの外水域側（ゲート下流側）に漂砂の堆積によって堆砂が生成されても、ゲートを閉じて水路に貯水したのち、この貯水をポンプにより吸い込んで、前記堆砂に向けて噴流させることで、該堆砂を崩壊飛散させながら外水域に押し流して除去することができる。
【００１２】
請求項３に記載の発明によれば、水路と河川、海、湖などの外水域との合流点付近、つまり川表ゲートの外水域側（川表ゲート下流側）に漂砂の堆積によって堆砂が生成されても、川表ゲートを閉じて水路に貯水し、この貯水を川表ゲートの開放により外水域に向けて強力に放流して、堆砂を外水域に押し流して除去することができる。また、前記貯水をポンプにより吸い込んで、前記堆砂に向けて噴流させることで、該堆砂を崩壊飛散させながら外水域に押し流して除去することができる。さらに、川表ゲートとポンプゲートの両者を閉じることで、両ゲートの間に貯水槽を形成できるので、たとえポンプゲート上流側の水路が低水位であっても、ポンプゲートの運転によって貯水槽の水位を高めて貯水できるから、この貯水を川表ゲートの開放により外水域に向けて強力に放流して、堆砂を外水域に押し流して除去することができるとともに、貯水槽の貯水をポンプにより吸い込んで、前記堆砂に向けて噴流させることで、該堆砂を崩壊飛散させながら外水域に押し流して除去することができる。また、開放されている川表ゲートから外水域への放流水勢は、ポンプゲートの運転によって増大させることができるので、貯水槽の貯水を川表ゲートの開放により外水域に向けて放流する場合、同時にポンプゲートを運転することで、より一層強力に堆砂を外水域に押し流して除去することができる。
【００１３】
【発明の実施の形態】
以下、本発明の一実施の形態を図面に基づいて説明する。図１は平面図、図２は図１の縦断側面図である。これらの図において、ゲート設備は、河川、海、湖などの外水域３０に臨む水路３１の出口に川表ゲート３２が昇降可能（開閉可能）に設けられ、この川表ゲート３２の上流側に排水ポンプ３３を装備したポンプゲート３４が昇降可能（開閉可能）に設けられているとともに、川表ゲート３２とポンプゲート３４の間にポンプ装置３５が設置されている。
【００１４】
前記ポンプ装置３５は、水中ポンプ３５Ａと、吐出管または高圧ホース３５Ｂとからなり、吐出管または高圧ホース３５Ｂの吐出口３５Ｃは、水路３１と河川、海、湖などの外水域３０との合流点付近、つまり川表ゲート３２の外水域３０側に臨ませてある。なお、図中３６は自動除塵機、３７は引上装置を示し、水路３１を流下してきた木片その他の固形異物を除去する機能を備えている。また、３９は堤防または防波堤を示し、水路３１の下流部分が貫通している。
【００１５】
前記構成において、水路３１と外水域３０との合流点付近、つまり川表ゲート３２の外水域側（ゲート下流側）に漂砂の堆積によって堆砂Ｓが生成されても、川表ゲート３２を閉じて水路３１に貯水したのち、この貯水を川表ゲート３２の小開度域開放により外水域３０に向けて強力に放流することで、堆砂Ｓを外水域３０に押し流して除去することができる。
【００１６】
また、川表ゲート３２の外水域側（ゲート下流側）に漂砂の堆積によって堆砂Ｓが生成されても、川表ゲート３２を閉じて水路３１に貯水したのち、水中ポンプ３５Ａを運転して、吐出管または高圧ホース３５Ｂの吐出口３５Ｃから前記貯水を堆砂Ｓに向けてピンポイント的に噴流させることで、該堆砂Ｓを崩壊飛散させながら外水域３０に押し流して除去することができる。
【００１７】
さらに、川表ゲート３２とポンプゲート３４の両者を閉じることで、両ゲート３２、３４の間に貯水槽３８を形成できるので、たとえポンプゲート３４上流側の水路３１が低水位であっても、ポンプゲート３４の運転、つまり装備されている排水ポンプ３３の運転によって貯水槽３８の水位を高めて貯水できるから、この貯水を川表ゲート３２の小開度域開放により外水域３０に向けて強力に放流することで、堆砂Ｓを外水域に押し流して除去することができる。この放流と同時に排水ポンプ３３を運転すれば、排水ポンプ３３の運転によって川表ゲート３２から外水域３０への放流水勢を増大させることができるので、より一層強力に堆砂Ｓを外水域に押し流して除去することができる。また、貯水槽３８の貯水は、水中ポンプ３５Ａを運転して吐出管または高圧ホース３５Ｂの吐出口３５Ｃから堆砂Ｓに向けてピンポイント的に噴流させることで、該堆砂Ｓを崩壊飛散させながら外水域３０に押し流して除去することができる。
【００１８】
このように、水路３１と外水域３０との合流点付近に漂砂の堆積で堆砂Ｓが生成されても、川表ゲート３２の小開度域開放または水中ポンプ３５Ａの運転によって、堆砂Ｓを確実に除去して、スムーズな川表ゲート３２の開閉および水路３１から外水域３０への排水を得ることができる。
【００１９】
【発明の効果】
以上説明したように、本発明のゲート設備の運転方法およびゲート設備は構成されているので、以下のような格別の効果を奏する。
【００２０】
請求項１に記載の発明によれば、水路と河川、海、湖などの外水域との合流点付近、つまりゲートの外水域側（ゲート下流側）に漂砂の堆積によって堆砂が生成されても、ゲートを閉じて水路に貯水したのち、この貯水をゲートの開放により外水域に向けて強力に放流して、前記堆砂を外水域に押し流して除去することができるので、スムーズなゲートの開閉および水路から外水域への排水を得ることができる。
【００２１】
請求項２に記載の発明によれば、水路と河川、海、湖などの外水域との合流点付近、つまりゲートの外水域側（ゲート下流側）に漂砂の堆積によって堆砂が生成されても、ゲートを閉じて水路に貯水したのち、この貯水をポンプにより吸い込んで、前記堆砂に向けて噴流させることで、該堆砂を崩壊飛散させながら外水域に押し流して除去することができるので、スムーズなゲートの開閉および水路から外水域への排水を得ることができる。
【００２２】
請求項３に記載の発明によれば、請求項１，請求項２に記載の発明の効果に加えて、川表ゲートとポンプゲートの両者を閉じることで、両ゲートの間に貯水槽を形成できるので、たとえポンプゲート上流側の水路が低水位であっても、ポンプゲートの運転によって貯水槽の水位を高めて貯水できるから、この貯水を川表ゲートの開放により外水域に向けて強力に放流して、堆砂を外水域に押し流して除去することができるとともに、貯水槽の貯水をポンプにより吸い込んで、前記堆砂に向けて噴流させることで、該堆砂を崩壊飛散させながら外水域に押し流して除去することができるので、スムーズなゲートの開閉および水路から外水域への排水を得ることができる。また、開放されている川表ゲートから外水域への放流水勢は、ポンプゲートの運転によって増大させることができるので、貯水槽の貯水を川表ゲートの開放により外水域に向けて放流する場合、同時にポンプゲートを運転することで、より一層強力に堆砂を外水域に押し流して除去することで、スムーズなゲートの開閉および水路から外水域への排水を得ることができる。
【図面の簡単な説明】
【図１】本発明の一実施の形態を示す平面図である。
【図２】図１の縦断側面図である。
【図３】従来例の側面図である。
【図４】図３を左方より見た正面図である。
【符号の説明】
３０  外水域
３１  水路
３２  川表ゲート（ゲート）
３４  ポンプゲート
３５  ポンプ装置
Ｓ  堆砂
【図１】
2004197496.tif 000003
【図２】
2004197496.tif 000004
【図３】
2004197496.tif 000005
【図４】
2004197496.tif 000006